(57)【要約】      （修正有）【課題】照明装置の小型化を図る。【解決手段】光源を保持する部材を小型化することにより小型化を実現するＬＥＤ照明装置であって、ヒートシンク（保持部材）４には、ＬＥＤ基板６の側部を、当該側部に向かって開口した開口部８ａによって保持する保持部８が形成される。保持部８には、ＬＥＤ基板６を保持する部分に沿って、ネジ穴８ｂ形成される。ネジ穴８ｂは、少なくとも一部が開口部８ａの形成位置と重なるように形成されている。【選択図】図１
2019096384.tif 000002
【特許請求の範囲】
【請求項１】
光源が搭載された基板と、
上記基板を保持する保持部材と、
上記保持部材を固定するネジと、を備え、
上記保持部材は、上記基板の側部を、当該側部に向かって開口した開口部によって保持する保持部が形成され、
上記保持部には、上記基板を保持する部分に沿って、上記ネジを締めるためのネジ穴が形成され、
上記ネジ穴は、少なくとも一部が上記開口部の形成位置と重なるように形成されていることを特徴とする照明装置。
【請求項２】
上記ネジ穴の中心は、上記開口部の中心に一致していることを特徴とする請求項１に記載の照明装置。
【請求項３】
上記ネジ穴の直径は、上記開口部における上記基板を挟み込む方向の高さよりも大きいことを特徴とする請求項２に記載の照明装置。
【請求項４】
上記保持部材に保持された上記基板を覆うカバーを備え、
上記カバーが上記基板を保持した上記保持部材を覆った状態で、当該カバーの両端に固定された固定板を覆うように当該カバーの両端に被せるゴムキャップをさらに備え、
上記ゴムキャップの内側には、上記固定板の一部が当該カバーの外側に突出した突出部に嵌合する溝が形成されていることを特徴とする請求項１〜３の何れか１項に記載の照明装置。
【請求項５】
上記ゴムキャップの内側には、さらに、上記カバーを覆ったときに、当該カバーの表面に密着する複数の突起部が設けられていることを特徴とする請求項４に記載の照明装置。
【発明の詳細な説明】
【技術分野】
【０００１】
本発明は、光源として例えばＬＥＤを用いた照明装置に関する。
【背景技術】
【０００２】
近年、蛍光灯を用いた照明装置に替わって、例えば特許文献１に開示されているように、ＬＥＤを用いたＬＥＤ照明器具が提案されている。
【先行技術文献】
【特許文献】
【０００３】
【特許文献１】特開２００５−１９２９９号公報（２００５年１月２０日公開）
【発明の概要】
【発明が解決しようとする課題】
【０００４】
一般に、ＬＥＤが発する熱を拡散させるため、そして、機器自体の剛性を持たせるために、アルミニウム板からなるヒートシンクが用いられている。このようなＬＥＤ照明器具は、例えば図１３に示すように、ヒートシンク１０４上にＬＥＤ１０７を搭載したＬＥＤ基板１０６を載置した状態で、図１４に示すように、照明器具のカバー１０２内に挿入されている。この際、ヒートシンク１０４がカバー１０２に挿入された状態で、当該カバー１０２の挿入口１０２ａにサイド板１０５がネジ１０９によって取り付けられている。
【０００５】
また、ヒートシンク１０４は、図１３に示すように、表面に載置されたＬＥＤ基板１０６を当該ＬＥＤ基板１０６の側部１０６ａで保持するための開口１０８ａを有する保持部１０８が形成されている。さらに、この保持部１０８には、ＬＥＤ基板１０６を保持する開口１０８ａと反対側に、上記ネジ１０９を固定するためのビスホール１０８ｂが形成されている。
【０００６】
ところで、照明器具の一般的な課題としては小型化が挙げられる。例えば図１３および図１４で示したような照明器具を小型化するためには、光源が搭載された基板を小型化することが考えられる。しかしながら、光源の配置や配線パターン等の関係上、当該基板の小型化には限界があり、当該基板の小型化のみで照明器具の小型化を実現することは困難である。
【０００７】
本発明の一態様は、光源を保持する部材の小型化により照明装置全体の小型化を図ることを実現することを目的とする。
【課題を解決するための手段】
【０００８】
上記の課題を解決するために、本発明の一態様に係る照明装置は、光源が搭載された基板と、上記基板を保持する保持部材と、上記保持部材を固定するネジと、を備え、上記保持部材は、上記基板の側部を、当該側部に向かって開口した開口部によって保持する保持部が形成され、上記保持部には、上記基板を保持する部分に沿って、上記ネジを締めるためのネジ穴が形成され、上記ネジ穴は、少なくとも一部が上記開口部の形成位置と重なるように形成されていることを特徴としている。
【発明の効果】
【０００９】
本発明の一態様によれば、照明装置の小型化を図ることができる。
【図面の簡単な説明】
【００１０】
【図１】本発明の実施形態１に係るＬＥＤ照明装置に備えられたヒートシンクの短手方向の断面図である。
【図２】図１に示すヒートシンクに形成された保持部付近の拡大断面図である。
【図３】図１に示すヒートシンクをカバーで覆った状態を示す概略平面図であり、（ａ）はヒートシンク上にＬＥＤ基板を載置した状態を示す図であり、（ｂ）はＬＥＤ基板とネジの位置関係が分かるようにした断面図である。
【図４】本実施形態に係るＬＥＤ照明装置の外観を示す斜視図である。
【図５】図４に示すＬＥＤ照明装置１の分解斜視図である。
【図６】本発明の実施形態２に係るＬＥＤ照明装置に備えられたゴムキャップの斜視図である。
【図７】カバーにサイド板を固定した状態の斜視図である。
【図８】図６に示すゴムキャップを図７に示す状態のカバーに装着した状態を示す断面図である。
【図９】本発明の実施形態３に係るＬＥＤ照明装置に備えられたゴムキャップの斜視図である。
【図１０】図９に示すゴムキャップを図７に示す状態のカバーに装着した状態を示す断面図である。
【図１１】本発明の実施形態４に係るＬＥＤ照明装置に備えられたゴムキャップの斜視図である。
【図１２】図１１に示すゴムキャップを図７に示す状態のカバーに装着した状態を示す断面図である。
【図１３】従来のＬＥＤ照明装置におけるＬＥＤ基板を搭載したヒートシンクの概略断面図である。
【図１４】図１３に示すヒートシンクをカバーで覆った状態を示す概略平面図であり、（ａ）はヒートシンク上にＬＥＤ基板を載置した状態を示す図であり、（ｂ）はＬＥＤ基板とネジの位置関係が分かるようにした断面図である。
【発明を実施するための形態】
【００１１】
〔実施形態１〕
以下、本発明の一実施形態について、詳細に説明する。なお、本実施形態では、光源としてＬＥＤを用いたＬＥＤ照明装置を例に説明する。また、後述する他の実施形態においても、本実施形態と同様に、光源としてＬＥＤを用いたＬＥＤ照明装置を例に説明する。
【００１２】
（ＬＥＤ照明装置の概要）
図４は、本実施形態に係るＬＥＤ照明装置１の外観を示す斜視図である。
【００１３】
図５は、図４に示すＬＥＤ照明装置１の分解斜視図である。
【００１４】
ＬＥＤ照明装置１は、図４に示すように、光源を内包した筒状のカバー２と、当該カバー２の両端を覆うゴムキャップ３とを備えている。すなわち、カバー２は、拡散性を有する材質からなり、図５の（ａ）に示すように、開口部２ａから複数のＬＥＤ７を搭載したＬＥＤ基板６を載置した状態のヒートシンク（保持部材）４を挿入または取出し可能となっている。ヒートシンク４は、図５の（ｂ）に示すように、ＬＥＤ基板（基板）６を表面に載置した状態で、カバー２内でサイド板５をネジ９によってネジ止めすることで固定される。さらに、ゴムキャップ３は、図５の（ｃ）に示すように、サイド板５によってヒートシンク４が固定された状態（図５の（ｂ））でカバー２の端部の開口部２ａを覆う。
【００１５】
（ヒートシンクの詳細）
図１は、ヒートシンク４の短手方向の断面図である。
【００１６】
図２は、図１に示すヒートシンク４に形成された保持部８付近の拡大断面図である。
【００１７】
図３は、図１に示すヒートシンク４をカバー２で覆った状態を示す概略平面図であり、（ａ）はヒートシンク４上にＬＥＤ基板６を載置した状態を示す図であり、（ｂ）はＬＥＤ基板６とネジ９の位置関係が分かるようにした断面図である。
【００１８】
ヒートシンク４は、表面に載置されたＬＥＤ基板６が発生する熱を拡散（放出）するためのものであり、例えば板状のアルミニウムからなる。ヒートシンク４は、図１に示すように、表面に載置されたＬＥＤ基板６の短手方向の側部を覆うようにして保持する保持部８が形成されている。
【００１９】
保持部８は、ＬＥＤ基板６の短手方向の側部を、当該側部に向かって開口した断面略コ字状の開口部８ａによって当該ＬＥＤ基板６を保持するようになっている。保持部８には、さらに、ヒートシンク４をサイド板５の開口部５ｂを介してネジ９で固定するためのビスホール（ネジ穴）８ｂが形成されている。
【００２０】
上記ビスホール８ｂは、上記開口部８ａを当該ビスホール８ｂ側に投影した投影象を完全に含むように、当該開口部８ａと一体的に形成されている。なお、ビスホール８ｂは、中心が、開口部８ａの中心に一致するように形成するのが好ましい。
【００２１】
上記保持部８によれば、ヒートシンク４およびＬＥＤ基板６は、図３の（ａ）（ｂ）に示すように、端部側において、ビスホール８ｂに挿入されるネジ９と干渉しないように切り欠かれている。なお、ＬＥＤ基板６の切り欠きの範囲は、搭載しているＬＥＤ７の配置に影響を与えない範囲とする。具体的には、ネジ９が挿入される箇所のみを切り欠くことで、ＬＥＤ基板６の端にまでＬＥＤ７を配置することができる。
【００２２】
（効果）
上記の構成によれば、保持部８のビスホール８ｂが、保持部８の開口部８ａの形成位置と完全に重なるように形成されていることで、従来のように、保持部の外側にネジ穴を形成した場合に比べて、保持部８を含めたヒートシンク４の幅を狭くすることができる。
【００２３】
これにより、ＬＥＤ照明装置１の小型化を図ることができる。
【００２４】
なお、本発明において、開口部８ａとビスホール８ｂとは、ヒートシンク４の長手方向に向かって同一直線上に位置するように、保持部８を形成する際に一体的に形成すればよいため、保持部８のビスホール８ｂが、保持部８の開口部８ａの形成位置と完全に重なるように形成されている必要はなく、ビスホール８ｂは、サイド板５の取り付け方向から見て、少なくとも一部が上記開口部８ａの形成位置と重なるように形成されていればよい。
【００２５】
また、開口部８ａの高さＨは、図２に示すように、ＬＥＤ基板６の厚みよりも若干高く、且つ、ビスホール８ｂの直径よりも小さいことが好ましい。これにより、ネジ９を確実に締めて、ヒートシンク４を確実にサイド板５に固定することができる。
【００２６】
さらに、本実施形態に記載のように、ネジ９によってサイド板５にヒートシンク４を固定するようにすれば、ヒートシンク４に形成されたビスホール８ｂとサイド板５に形成された開口部５ｂとの位置を決めるだけで、ヒートシンク４をサイド板５に適切に固定することが可能となる。つまり、接着剤でヒートシンク４とサイド板５とを接続する場合のような位置合わせを行なう必要がない。
【００２７】
また、ＬＥＤ照明装置１の小型化を図ることができるので、商品を陳列するショーケース等の照明として好適に用いることができる。
【００２８】
〔実施形態２〕
本発明の他の実施形態について、以下に説明する。なお、説明の便宜上、上記実施形態にて説明した部材と同じ機能を有する部材については、同じ符号を付記し、その説明を繰り返さない。
【００２９】
（ゴムキャップ）
図６は、ゴムキャップ３の斜視図である。
【００３０】
本実施形態に係るゴムキャップ３は、前記実施形態１の図５に示すように、ＬＥＤ基板６が搭載されたヒートシンク４を覆った状態のカバー２の両端に固定されたサイド板５を覆うように当該カバー２の両端に被せるものである。
【００３１】
上記ゴムキャップ３の内面（内側）３ａには、図６に示すように、当該内面３ａに沿って、後述するサイド板５の一部が嵌合する溝３ｂが形成されている。
【００３２】
（サイド板）
図７は、カバー２にサイド板５を固定した状態の斜視図である。
【００３３】
サイド板５は、図７に示すように、カバー２の開口部２ａに固定された状態で、一部が突出している。この部分を突出部５ａとする。
【００３４】
（ゴムキャップ装着状態）
図８は、図６に示すゴムキャップ３を図７に示す状態のカバー２に装着した状態を示す断面図である。
【００３５】
カバー２に固定されたサイド板５の突出部５ａは、図８に示すように、ゴムキャップ３の内面３ａに形成された溝３ｂに嵌合している。
【００３６】
（効果）
上記構成のゴムキャップ３を用いることで、ゴムキャップ３がカバー２から外れ難くすることができる。また、カバー２の両端がゴムキャップ３により覆われているため、ＬＥＤ照明装置１の金属部分が露出しないので、静電気等のノイズに影響されない。さらに、カバー２の両端がゴムキャップに３より覆われているため、防水性を有する。
【００３７】
〔実施形態３〕
本発明の他の実施形態について、以下に説明する。なお、説明の便宜上、上記実施形態にて説明した部材と同じ機能を有する部材については、同じ符号を付記し、その説明を繰り返さない。
【００３８】
（ゴムキャップ）
図９は、ゴムキャップ３３の斜視図である。
【００３９】
本実施形態に係るゴムキャップ３３は、前記実施形態２の図６に示すゴムキャップ３の構成に加えて、底部に内面３３ａ側に突出する突起部３３ｃが形成されている。この突起部３３ｃは、図５に示すサイド板５の開口部５ｃに嵌合できる大きさに形成されており、ＬＥＤ基板６からの配線（図示せず）を外部に出すための貫通穴３３ｄが形成されている。
【００４０】
（ゴムキャップ装着状態）
図１０は、図９に示すゴムキャップ３３を図７に示す状態のカバー２に装着した状態を示す断面図である。
【００４１】
カバー２に固定されたサイド板５の突出部５ａは、図１０に示すように、ゴムキャップ３３の内面３３ａに形成された溝３３ｂに嵌合している。さらに、ゴムキャップ３３の突起部３３ｃがサイド板５の開口部５ｃに嵌合されている。
【００４２】
（効果）
上記構成のゴムキャップ３３を用いることで、ゴムキャップ３３がカバー２から外れ難くすることができる。
【００４３】
しかも、ゴムキャップ３３の突起部３３ｃがサイド板５の開口部５ｃに嵌合されているため、ＬＥＤ基板６からの配線がゴムキャップ３３の突起部３３ｃの貫通穴３３ｄを通して外部に出される。これにより、ＬＥＤ基板６からの配線が直接サイド板５に接触することがないため、配線がサイド板５による接触のために断線するのを防止することができる。
【００４４】
〔実施形態４〕
本発明の他の実施形態について、以下に説明する。なお、説明の便宜上、上記実施形態にて説明した部材と同じ機能を有する部材については、同じ符号を付記し、その説明を繰り返さない。
【００４５】
（ゴムキャップ）
図１１は、ゴムキャップ３３の斜視図である。
【００４６】
本実施形態に係るゴムキャップ３３は、前記実施形態３の図９に示すゴムキャップ３３の構成に加えて、内面３３ａには、当該内面３３ａに沿って所定の間隔毎に突起部３３ｅが複数個設けられている。
【００４７】
（ゴムキャップ装着状態）
図１２は、図１１に示すゴムキャップ３３を図７に示す状態のカバー２に装着した状態を示す断面図である。
【００４８】
カバー２に固定されたサイド板５の突出部５ａが、図１２に示すように、ゴムキャップ３３の内面３３ａに形成された溝３３ｂに嵌合され、ゴムキャップ３３の突起部３３ｃがサイド板５の開口部５ｃに嵌合されている。さらに、ゴムキャップ３３の内面３３ａに形成された複数の突起部３３ｅがカバー２の表面に密着するようになっている。
【００４９】
（効果）
上記構成のゴムキャップ３３を用いることで、ゴムキャップ３３がカバー２から外れ難くすることができる。
【００５０】
しかも、ゴムキャップ３３の突起部３３ｃがサイド板５の開口部５ｃに嵌合されているため、ＬＥＤ基板６からの配線がゴムキャップ３３の突起部３３ｃの貫通穴３３ｄを通して外部に出される。これにより、ＬＥＤ基板６からの配線が直接サイド板５に接触することがないため、配線がサイド板５による接触のために断線するのを防止することができる。
【００５１】
さらに、ゴムキャップ３３の内面３３ａに、カバー２を覆ったときに、当該カバー２の表面に密着する複数の突起部３３ｅが設けられていることで、カバー２表面とゴムキャップ３３との密着度が増し、防水性能を高めることができる。
【００５２】
なお、前記実施形態１〜４において、それぞれのＬＥＤ照明装置におけるゴムキャップの形状は特に限定されるものではなく、カバー２の断面形状を考慮し、且つ、装着したときに、できるだけカバー２の表面に密着できるような形状であればよい。
【００５３】
また、前記実施形態１〜４において、光源としてＬＥＤを用いたＬＥＤ照明装置について説明したが、光源としてはＬＥＤに限定されるものではなく、他の光源であってもよい。
【００５４】
〔まとめ〕
本発明の態様１に係る照明装置は、光源（ＬＥＤ７）が搭載された基板（ＬＥＤ基板６）と、上記基板（ＬＥＤ基板６）を保持する保持部材（ヒートシンク４）と、上記保持部材（ヒートシンク４）を固定するネジ９と、を備え、上記保持部材（ヒートシンク４）は、上記基板（ＬＥＤ基板６）の側部を、当該側部に向かって開口した開口部８ａによって保持する保持部８が形成され、上記保持部８には、上記基板（ＬＥＤ基板６）を保持する部分に沿って、上記ネジ９を締めるためのネジ穴（ビスホール８ｂ）が形成され、上記ネジ穴（ビスホール８ｂ）は、少なくとも一部が上記開口部８ａの形成位置と重なるように形成されていることを特徴とする。
【００５５】
上記の構成によれば、保持部のネジ穴が、少なくとも一部が保持部の開口部の形成位置と重なるように形成されていることで、従来のように、保持部の外側にネジ穴を形成した場合に比べて、保持部を含めた保持部材の幅を狭くすることができる。これにより、保持部材の幅を狭めることができるので、ＬＥＤ照明装置の幅を狭めることができる。従って、ＬＥＤ照明装置の小型化を図ることができる。
【００５６】
本発明の態様２に係る照明装置は、上記態様１において、上記ネジ穴（ビスホール８ｂ）は、上記開口部８ａの形成位置と完全に重なるように形成されていてもよい。
【００５７】
上記の構成によれば、ネジ穴が上記保持部の開口部の形成位置と完全に重なるように形成されていることで、さらに、保持部を含めた保持部材の幅を基板の幅に近づけることができる。これにより、保持部材の幅を狭めることができるので、照明装置の幅を狭めて、照明装置全体の小型化を図ることができる。
【００５８】
本発明の態様３に係る照明装置は、上記態様２において、上記ネジ穴（ビスホール８ｂ）の直径は、上記開口部８ａにおける上記基板（ＬＥＤ基板６）を挟み込む方向の高さＨよりも大きくてもよい。
【００５９】
上記の構成によれば、ネジを確実に締めて、保持部材を確実に固定板に固定することができる。
【００６０】
本発明の態様４に係る照明装置は、上記態様１〜３の何れか１態様において、上記保持部材（ヒートシンク４）に保持された上記基板（ＬＥＤ基板６）を覆うカバー２を備え、上記カバー２が上記基板（ＬＥＤ基板６）を載置した上記保持部材（ヒートシンク４）を覆った状態で、当該カバー２の両端（開口部２ａ）に固定された固定板（サイド板５）を覆うように当該カバー２の両端（開口部２ａ）に被せるゴムキャップ３をさらに備え、上記ゴムキャップ３の内側（内面３ａ）には、上記固定板（サイド板５）の一部が当該カバー２の外側に突出した突出部５ａに嵌合する溝３ｂが形成されていてもよい。
【００６１】
上記構成によれば、ゴムキャップの内側に上記固定板の一部が当該カバーの外側に突出した突出部に嵌合する溝が形成されていることで、ゴムキャップがカバーから外れ難くすることができる。
【００６２】
また、カバーの両端がゴムキャップにより覆われているため、照明装置の金属部分が露出しないので、静電気等のノイズに影響されない。
【００６３】
さらに、カバーの両端がゴムキャップにより覆われているため、防水性を有する。
【００６４】
本発明の態様５に係る照明装置は、上記態様４において、ゴムキャップ３３の内側（内面３３ａ）には、さらに、上記カバー２を覆ったときに、当該カバー２の表面に密着する複数の突起部３３ｅが設けられていてもよい。
【００６５】
上記の構成によれば、ゴムキャップの内側に、さらに、上記カバーを覆ったときに、当該カバーの表面に密着する複数の突起部が設けられていることで、カバー表面とゴムキャップとの密着度が増し、防水性能を高めることができる。
【００６６】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００６７】
１  ＬＥＤ照明装置（照明装置）
２  カバー
２ａ  開口部
３  ゴムキャップ
３ａ  内面
４  ヒートシンク（保持部材）
５  サイド板
５ａ  突出部
５ｂ  開口部
５ｃ  開口部
６  ＬＥＤ基板
７  ＬＥＤ
８  保持部
８ａ  開口部
８ｂ  ビスホール（ネジ穴）
９  ネジ
３３  ゴムキャップ
３３ａ  内面（内側）
３３ｂ  溝
３３ｃ  突起部
３３ｄ  貫通穴
３３ｅ  突起部
【図１】
2019096384.tif 000003
【図２】
2019096384.tif 000004
【図３】
2019096384.tif 000005
【図４】
2019096384.tif 000006
【図５】
2019096384.tif 000007
【図６】
2019096384.tif 000008
【図７】
2019096384.tif 000009
【図８】
2019096384.tif 000010
【図９】
2019096384.tif 000011
【図１０】
2019096384.tif 000012
【図１１】
2019096384.tif 000013
【図１２】
2019096384.tif 000014
【図１３】
2019096384.tif 000015
【図１４】
2019096384.tif 000016